(57)【要約】【課題】固定部材を揺動座金を有するボルトで被固定部材に取り付ける場合に、固定部材全体を交換することなく、揺動座金のみを交換可能にする。【解決手段】ボルト軸１ａと、ボルト軸１ａの一端に設けられたヘッド部１ｂと、ボルト軸１ａのヘッド部１ｂに延設されるように形成された第１の雄ネジ部１ｃと、ボルト軸１ａの他端に形成された第２の雄ネジ部１ｄと、第１の雄ネジ部１ｃと第２の雄ネジ部１ｄとの間に形成されたネジ切欠部１ｅとを有するボルト１と、円板状の押さえ部２ａと、押さえ部２ａに立設された筒状部２ｂと、筒状部２ｂに形成されたボルト挿入穴２ｃと、ボルト挿入穴２ｃの内周面に形成された雌ネジ部２ｄと、筒状部２ｂの側面に形成された開口２ｅとを有する揺動座金２とを備え、ボルト軸１ａの第２の雄ネジ部１ｄに揺動座金２の雌ネジ部２ｄを螺合、貫通させ、揺動座金２をネジ切欠部内で揺動自在に嵌合させた構成。【選択図】図１
2005282726.tif 000002
【特許請求の範囲】
【請求項１】
ボルト軸と、ボルト軸の一端に設けられたヘッド部と、ボルト軸のヘッド部に延設されるように形成された第１の雄ネジ部と、ボルト軸の他端に形成された第２の雄ネジ部と、第１の雄ネジ部と第２の雄ネジ部との間に形成されたネジ切欠部とを有するボルトと、円板状の押さえ部と、押さえ部に立設された筒状部と、筒状部に形成されたボルト挿入穴と、ボルト挿入穴の内周面に形成された雌ネジ部と、筒状部の側面に形成された開口とを有する揺動座金とを備え、前記ボルト軸の第２の雄ネジ部に前記揺動座金の雌ネジ部を螺合、貫通させ、揺動座金を前記ネジ切欠部内で揺動自在に嵌合させたことを特徴とする揺動座金を有するボルト。
【発明の詳細な説明】
【技術分野】
【０００１】
本発明は、ボルト軸の先端に揺動自在の座金を有するボルトに関するものである。
【背景技術】
【０００２】
ボルト軸の先端に揺動自在の皿状座金を有するボルトは、所謂、万力に多く用いられ（例えば特許文献１の図２（Ａ）参照）、取付面で皿状座金を揺動可能に設けることにより、強固な固定を可能にするとともに取付面の損傷を防止するようにしている。通常、皿状座金はボルト軸の先端にカシメにより装着されている。
【特許文献１】特開平１０−８９３２１号公報
【発明の開示】
【発明が解決しようとする課題】
【０００３】
しかしながら、上記従来のボルトにおいては、長年の使用により腐食等により皿状座金がボルト軸から外れてしまうケースがあり、この場合、ボルトの交換は皿状座金の存在のためできない構造になっているため、万力という固定部材全体を交換しなければならないという問題を有している。この問題は、万力のみならず、固定部材を皿状座金を有するボルトで被固定部材に取り付ける場合も同様である。
【０００４】
本発明は、上記従来の問題を解決するものであって、固定部材を揺動座金を有するボルトで被固定部材に取り付ける場合に、固定部材全体を交換することなく、揺動座金のみを交換することができる揺動座金を有するボルトを提供することを目的とする。
【課題を解決するための手段】
【０００５】
そのために本発明の揺動座金を有するボルトは、ボルト軸１ａと、ボルト軸１ａの一端に設けられたヘッド部１ｂと、ボルト軸１ａのヘッド部１ｂに延設されるように形成された第１の雄ネジ部１ｃと、ボルト軸１ａの他端に形成された第２の雄ネジ部１ｄと、第１の雄ネジ部１ｃと第２の雄ネジ部１ｄとの間に形成されたネジ切欠部１ｅとを有するボルト１と、円板状の押さえ部２ａと、押さえ部２ａに立設された筒状部２ｂと、筒状部２ｂに形成されたボルト挿入穴２ｃと、ボルト挿入穴２ｃの内周面に形成された雌ネジ部２ｄと、筒状部２ｂの側面に形成された開口２ｅとを有する揺動座金２とを備え、ボルト軸１ａの第２の雄ネジ部１ｄに揺動座金２の雌ネジ部２ｄを螺合、貫通させ、揺動座金２をネジ切欠部内で揺動自在に嵌合させたことを特徴としている。
【発明の効果】
【０００６】
本発明によれば、固定部材を揺動座金を有するボルトで被固定部材に取り付ける場合に、固定部材全体を交換することなく、揺動座金のみを交換することができる。
【発明を実施するための最良の形態】
【０００７】
以下、本発明の実施形態を図面を参照しつつ説明する。図１は、本発明の揺動座金を有するボルトの１実施形態を示し、図（Ａ）はボルトの正面図、図（Ｂ）揺動座金の平面図、図（Ｃ）は側面図、図（Ｄ）は図（Ｃ）のＤ方向から見た側面図、図（Ｅ）は揺動座金の変形例を示す平面図、図（Ｆ）、図（Ｇ）は使用状態を示す側面図である。
【０００８】
本発明の揺動座金を有するボルトは、図（Ａ）に示すボルト１と、図（Ｂ）〜図（Ｄ）に示す揺動座金２とから構成されている。図（Ａ）に示すように、ボルト１は、ボルト軸１ａと、ボルト軸１ａの一端に設けられたヘッド部１ｂと、ボルト軸１ａのヘッド部１ｂに延設されるように形成された第１の雄ネジ部１ｃと、ボルト軸１ａの他端に形成された第２の雄ネジ部１ｄと、第１の雄ネジ部１ｃと第２の雄ネジ部１ｄとの間に形成されたネジ切欠部１ｅとを備えている。
【０００９】
図（Ｂ）〜図（Ｄ）に示すように、揺動座金２は、円板状の押さえ部２ａと、押さえ部２ａの図で上面に立設された筒状部２ｂと、筒状部２ｂの図で上面に形成されたボルト挿入穴２ｃと、ボルト挿入穴２ｃの内周面に形成された雌ネジ部２ｄと、筒状部２ｂの側面に形成された開口２ｅとを備え、各部は鋳造により一体成形されている。なお、開口２ｅは鋳型を抜くためのものである。
【００１０】
図（Ｅ）は揺動座金の変形例を示す平面図である。本例においては、筒状部２ｂを平面視で矩形状としている。その他の構造は上記実施形態と同様である。本例によれば、後述する揺動座金２のボルト１へ結合させるに際して、矩形状部にスパナ等の工具を把持させることにより容易に結合させることができる。
【００１１】
図（Ｆ）、図（Ｇ）は、本発明の揺動座金を有するボルトの使用状態を示す側面図である。図（Ｆ）において、断面コ字形状の固定部材３は上片３ａと下片３ｂを有し、上片３ａにボルト１のボルト軸１ａの第１の雄ネジ部１ｃが螺合され、第２の雄ネジ部１ｄに揺動座金２の雌ネジ部２ｄが螺合され、雌ネジ部２ｄは第２の雄ネジ部１ｄを乗り越えて貫通させ、揺動座金２が切欠部１ｅ内で揺動自在に嵌合されている。固定部材３の下片３ｂは被固定部材４に係合させ、この状態でボルト１を締め付けると揺動座金２の押さえ部２ａは被固定部材４の面に強固に固定されることになる。図（Ｇ）は被固定部材４の面が傾斜している場合を示し、この場合、揺動座金２の押さえ部２ａは傾斜に追随して揺動するため、被固定部材４に強固に固定され、且つ被固定部材４の表面の傷付きを防止する。
【００１２】
揺動座金２が破損した場合には、ボルト１を緩め、揺動座金２をボルト軸１ａから外すことにより交換することが可能なため、従来のように、固定部材３、ボルト１および揺動座金２全てを交換する必要がない。
【００１３】
図２は、本発明の揺動座金を有するボルトの他の実施形態を示す側面図である。本実施形態は、固定部材３が万力の場合を示し、固定部材３の下片３ｂにボルト１が螺合され、ボルト１のヘッド部１ｂには回転ハンドル１ｆが貫通して装着されている。なお、前記実施形態と同一の構成については同一番号を付けて説明を省略する。
【図面の簡単な説明】
【００１４】
【図１】本発明の揺動座金を有するボルトの１実施形態を示す図である。
【図２】本発明の揺動座金を有するボルトの他の実施形態を示す図である。
【符号の説明】
【００１５】
１…ボルト、１ａ…ボルト軸、１ｂ…ヘッド部、１ｃ…第１の雄ネジ部
１ｄ…第２の雄ネジ部、１ｅ…ネジ切欠部、２…揺動座金、２ａ…押さえ部
２ｂ…筒状部、２ｃ…ボルト挿入穴、２ｄ…雌ネジ部、２ｅ…開口
【図１】
2005282726.tif 000003
【図２】
2005282726.tif 000004